(57)【要約】【課題】  ペン入力式の小型タッチパネルの押し間違いを防止し小型キーボードと同等の操作性で入力を実現するタッチパネル及びそれを備えた画面入力型表示装置を提供する。【解決手段】  一対の透明電極８、９を配置した入力側の上基板２４と下基板７とを前記透明電極８、９を内側にして対向配置してなり、表示や印字した仮想キーボードのキーまたはボタンを入力ペンや指で押下して文字や記号などを入力あるいは選択入力するタッチパネルにおいて、入力ペン２５の入力位置を案内するペン入力補助手段２２を有することを特徴とする。【選択図】    図１
2005148848.tif 000002
【特許請求の範囲】
【請求項１】
一対の透明電極を配置した入力側の上基板と下基板とを前記透明電極を内側にして対向配置してなり、表示や印字した仮想キーボードのキーまたはボタンを入力ペンや指で押下して文字や記号などを入力あるいは選択入力するタッチパネルにおいて、
前記入力ペンの入力位置を案内するペン入力補助手段を有することを特徴とするタッチパネル。
【請求項２】
前記ペン入力補助手段は前記上基板における前記各キーあるいはボタンに対応するそれぞれの位置に入力ペンの先端を案内する案内凹部を有することを特徴とする請求項１記載のタッチパネル。
【請求項３】
前記ペン入力補助手段は前記上基板の前記各キーあるいはボタンに対応するそれぞれの位置に上面から突出する凸状の突起部と、該突起部の上面に入力ペンの先端を案内する案内凹部とを有し、前記突起部と前記上基板とが一体に形成されていることを特徴とする請求項１記載のタッチパネル。
【請求項４】
前記突起部は前記仮想キーボードのキーあるいはボタンの形状と比較して若干小さい形状に形成されていることを特徴とする請求項３記載のタッチパネル。
【請求項５】
前記ペン入力補助手段は前記上基板上に配置される入力補助シートを有し、該入力補助シートが前記各キーあるいはボタンに対応するそれぞれの位置に上面から突出する凸状の突起部と、該突起部の上面に入力ペンの先端を案内する案内凹部とを有し、前記突起部と前記補助シートとが一体に形成されていることを特徴とする請求項１記載のタッチパネル。
【請求項６】
前記入力補助シートは前記案内凹部のほぼ中央に対応するそれぞれの位置に下面から突出する凸状の突起を有することを特徴とする請求項５記載のタッチパネル。
【請求項７】
前記入力補助シートは防眩フィルムとしての機能を有することを特徴とする請求項５または請求項６記載のタッチパネル。
【請求項８】
前記入力補助シートは偏光板としての機能を有することを特徴とする請求項５記載のタッチパネル。
【請求項９】
液晶表示装置などの表示手段の上面にタッチパネルを備えている画面入力型表示装置であって、前記請求項１ないし８の何れか１項に記載のタッチパネルを備えていることを特徴とする画面入力型表示装置。
【発明の詳細な説明】
【技術分野】
【０００１】
本発明は小型の携帯情報機器において液晶ディスプレイの画面上に配置し透視した画面の指示に従って使用者が情報の表示画面を指やペン等で直接押してデータの入力が行われるタッチパネルに関し、特に表示や印字した仮想キーボードのキーあるいはボタンを押下して文字や記号などを入力あるいは選択入力するタッチパネル及びそれを備えた画面入力型表示装置に関する。
【背景技術】
【０００２】
図９は従来技術におけるタッチパネルを用いた携帯情報機器１１を示す平面図である。図９に示すように携帯情報機器１１は画面１２がほぼ全面に配置され、画面１２中の上段の表示部１３に文字などを表示し、下段の仮想キーボード表示部１４に仮想キーボード１５を表示する。図１０はタッチパネルの主要部を示す断面図である。図１０に示すようにタッチパネル１０は液晶表示パネル２０の画面上に配置され、透明電極８を配設した可撓性を有する上基板４と、透明電極９を配設した下基板７とが所定の空間を隔てて透明電極８、９が互いに対面するように配置されている。このタッチパネル１０において上基板４の上部を入力ペンまたは指で押圧したとき、上基板４が撓んでその押圧点において上基板４の透明電極８が下基板７の透明電極９と接触する。そして、その接触点の座標が電気抵抗の測定によって検知されて入力情報が読取られる。
【０００３】
このような従来技術におけるタッチパネルが液晶表示パネルと組み合わされて使用され、表示装置に仮想キーボードを表示し、指先によってタッチして入力する場合の例を図１１に示す。図１１に示すように、指先５でタッチパネルシート３を押下すると、タッチパネルの上基板４と接触する変形範囲４ａ（面積）が大きくなり、図示しないが下方に表示する仮想キーボードのキーのサイズを当該変形範囲４ａよりも大きくしないと隣接するキーを押下して誤入力となってしまうので、必然的に表示するキーのサイズが大きくなり、その結果、文字やイメージを表示する部分が少なくなっていた。このように指先で操作するとタッチする面積が大きくなるため、仮想キーボードを大きく表示しなくてはならず、表示のための領域が小さくなってしまう問題があった。また、携帯情報機器などのキー入力ボードをタッチパネルで構成しようとする場合、小型機器である程入力面が小さいため、指入力で文字、数字、指標等に形成されたアイコンを押す場合に一般的な人の指のサイズの制約で、テンキーのようなアイコンを小型化して配置するピッチに限界があり、多くのアイコンを配設できないという問題があった。
【０００４】
そこでこれらの問題点を解決した例として次のようなタッチパネルの例が開示されている（例えば、特許文献１参照。）。このタッパネルは図１２に示すように、タッチパネルの上基板４上にアイコン等の位置に対応させて凸状の突起１を形成した補助シート２を載置させることで指先５で押下し易くすると共に押下したときにタッチパネルの上基板４の押下する部分の変形範囲６（面積）を指先５よりも小さくできる。このため比較的小さなピッチで仮想キーボードのキーやボタンを配設することが可能である。
【０００５】
【特許文献１】特開平１１−１１０１１１号公報（第３−５頁、図１）
【発明の開示】
【発明が解決しようとする課題】
【０００６】
しかしながら上記従来技術はペン入力のタッチパネルでは凸状突起を触感で関知できず、また入力ペンの先端曲率は一般に指先よりかなり小さいため、小さな面積の凸状突起ではペン先が逸れてしまい、逆に押し間違いが発生するおそれがありペン入力に対しては有効では無いという問題があった。また、ペン入力では理論上ピンポイント入力が可能であり指入力に比較し、入力点（動作点）を微細なピッチに密集して形成することが可能なはずであるが、ペン先での押圧位置のコントロールは指先でのそれに及ばない。そのためペン入力方式では押し間違いが発生するおそれがあるため入力点（動作点）を微細なピッチに密集して形成することが難しいという問題があった。
【０００７】
（発明の目的）
本発明は上記課題を解決しペン入力式の小型タッチパネルの入力ポイント（動作点）を密集して形成した場合において、文字入力時の押し間違いを防止し、小型キーボードと同等の操作性で入力を実現するタッチパネルを提供することを目的とする。
【課題を解決するための手段】
【０００８】
前述した目的を達成するために、本発明に係わるタッチパネルは、一対の透明電極を配置した入力側の上基板と下基板とを前記透明電極を内側にして対向配置してなり、表示や印字した仮想キーボードのキーまたはボタンを入力ペンや指で押下して文字や記号などを入力あるいは選択入力するタッチパネルにおいて、入力ペンの入力位置を案内するペン入力補助手段を有することを特徴とする。
【０００９】
また、ペン入力補助手段は上基板における各キーあるいはボタンに対応するそれぞれの位置に入力ペンの先端を案内する案内凹部を有することを特徴とする。
【００１０】
また、ペン入力補助手段は上基板の各キーあるいはボタンに対応するそれぞれの位置に上面から突出する凸状の突起部と、該突起部の上面に入力ペンの先端を案内する案内凹部とを有し、突起部と上基板とが一体に形成されていることを特徴とする。
【００１１】
また、突起部は前記仮想キーボードのキーあるいはボタンの形状と比較して若干小さい形状に形成されていることを特徴とする。
【００１２】
また、ペン入力補助手段は上基板上に配置される入力補助シートを有し、該入力補助シートが各キーあるいはボタンに対応するそれぞれの位置に上面から突出する凸状の突起部と、該突起部の上面に入力ペンの先端を案内する案内凹部とを有し、突起部と補助シートとが一体に形成されていることを特徴とする。
【００１３】
また、入力補助シートは案内凹部のほぼ中央に対応するそれぞれの位置に下面から突出する凸状の突起を有することを特徴とする。
【００１４】
また、入力補助シートは防眩フィルムとしての機能を有することを特徴とする。
【００１５】
また、入力補助シートは偏光板としての機能を有することを特徴とする。
【００１６】
また、画面入力型表示装置であって、液晶表示装置などの表示手段の上面に本発明のタッチパネルを備えていることを特徴とする。
【発明の効果】
【００１７】
以上のように本発明によれば携帯電話のような小型携帯情報機器の限られたスペースに密集させてアイコンやテンキーを配置してもペン入力が可能であり入力ペンの先端を案内する案内凹部によってペン先端が凹部窪みに案内されるので、押し間違いを防止できる。また、高齢者等の視覚弱者で先鋭な入力ペン先端の押圧点が十分に視認できない場合にも、案内凹部によって入力ペンの先端が案内されるので、携帯電話等の小型情報機器及びその他のペン入力画面表示装置において使い勝手が向上するとともに、限られたスペースに密集させてアイコンやテンキーを配置することが可能になり、ペン入力画面表示装置の小型化が可能となる。
【００１８】
また、入力側の上基板上に配置する入力補助シートに案内凹部を形成すれば、表示画面が変わり押圧点の位置が変わった場合にも、案内凹部の配置を変更した入力補助シートと入れ替えることで対応できる。さらに、入力補助シート下面に応力集中を目的とした、突起をタッチパネルの上基板に当接するように形成すれば、動作点に正確に押圧でき、さらに応力集中の効果で可撓性の低いガラス基板にも相対的に低い押圧で入力が可能になる。また、入力側の上基板上面に偏光板や防弦フィルムを貼り合わせる場合、偏光板や防弦フィルム上に案内凹部を有する突起部部材を接着等で一体形成することでコストダウンが可能となる。
【００１９】
この結果、入力側の上基板上にペン入力の案内凹部を安価に形成することができ、透過率、視認性の劣化が少なく、また過酷な条件下での耐久性や操作性に優れ、ペン入力に適するタッチパネルを実現できる。またペン入力による文字入力時に小型キーボードと同等の操作性で入力することが可能なタッチパネルを提供することができる。また、本発明のタッチパネルを備えた画面入力型表示装置は、表示画面を小型化しても押し間違いが少なく、携帯電話等小型携帯情報機器の画面入力を実現するために極めて有効である。
【発明を実施するための最良の形態】
【００２０】
（第１の実施形態）
図１は本発明の第１の実施形態におけるタッチパネルを示す部分拡大断面図である。本実施形態におけるタッチパネルはペン入力の入力補助手段として上基板に入力ペンの案内凹部を設けた点に特徴があり、その他の構成は、従来例におけるタッチパネルと同様である。従って、従来例と同一部分については同一番号を付与してその説明は省略する。以下、図１を用いて本実施形態におけるタッチパネルについて説明する。
【００２１】
図１に示すように本実施形態のタッチパネル３０は液晶表示パネル２０の上に配置されており、液晶表示パネル２０に表示や印字した仮想キーボード（図示せず）のキーまたはボタンを入力ペン２５で押下して文字や記号などを入力あるいは選択入力する場合に入力ペン２５の入力位置を案内するペン入力補助手段として、タッチパネル３０の入力側の上基板２４の上面２４ａに入力ペン２５の先端２５ａを案内する案内凹部２２が設けられている。この案内凹部２２は、液晶表示パネル２０に表示される仮想キーボード（図示せず）の各キーあるいはボタンに対応するそれぞれの位置に配置され、上基板２４と一体に形成されている。この案内凹部２２は入力ペン２５の先端２５ａを案内し入力ペン２５の先端２５ａによって押下して文字や記号などを入力あるいは選択入力する時に押下し易くすると共に押下した時に上基板２４上の押下する部分の変形範囲（面積）を小さくして確実に押下位置を検出するためのものである。
【００２２】
また、案内凹部２２の平面形状は、表示画面のアイコン、キー、ボタン、文字に対応する大きさの円形、矩形等自由に決められるが、ペン入力の操作性を損なわない範囲で必要最小限に止める方が表示面を視認する際、歪みの発生を防止できるため好ましい。通常は仮想キーボードのキーあるいはボタンの形状と比較して小さい形状に形成される。この案内凹部２２の内壁の形状については半球状の形状としたが、これに限定されるものではなく入力ペン２５の先端２５ａの形状に合わせた形状に設定することが好ましい。また、上基板２４の上面２４ａから案内凹部２２の底面２２ａまでの深さｄの寸法値は０．１〜０．５ｍｍ程度に設定するのが好ましく、本実施形態においては上基板２４の厚さｔの値を０．３ｍｍ、案内凹部２２の深さｄの寸法値を０．２ｍｍとした。
【００２３】
また、案内凹部２２を上基板２４と一体に形成する方法としては、成形やプレス加工で形成することができ、金型により自由度の高い形状を与える事が可能である。また、上基板２４の材質についても樹脂フィルムだけでなく、ガラス基板の場合においてもソーダガラス等の軟化点は５５０〜６００℃程度であり、プレス成形にて容易に形成することができる。
【００２４】
以上説明したように本実施形態におけるタッチパネル３０は、上基板上２４にアイコン等の位置に対応させて凹状の案内凹部２２を一体に形成することで、案内凹部２２によって入力ペン２５の先端２５ａが案内されるので入力位置の特定が容易になり押し間違いを防止できると共に安価に案内凹部２２を形成することが可能となる。これによって比較的小さなピッチでキーやボタンを配設することが可能となる。さらに、透過率、視認性の劣化が少なく過酷な条件下での耐久性や操作性に優れるタッチパネルを得ることができる。
【００２５】
（第２の実施形態）
図２は本発明の第２の実施形態におけるタッチパネルの上基板を示す部分拡大断面図である。本実施形態におけるタッチパネルは上基板の厚さが比較的薄い場合に適する入力補助手段の例であり上基板の形状が第１の実施形態と異なる点である。その他の構成は、第１の実施形態におけるタッチパネルと同様である。従って、第１の実施形態と同一部分については同一番号を付与してその説明は省略する。以下、図２を用いて第２の実施形態におけるタッチパネルについて説明する。
【００２６】
図２に示すように本実施形態のタッチパネルにはペン入力補助手段として入力側の上基板３４の上面３４ａから突出する凸状の突起部２１と、該突起部２１の上面２１ａのほぼ中央付近に入力ペン２５の先端２５ａを案内する案内凹部２２とが設けられている。この突起部２１は、液晶表示パネルに表示される仮想キーボード（図示せず）の各キーあるいはボタンに対応するそれぞれの位置に配置され、上基板３４と一体に形成されている。
【００２７】
案内凹部２２の形状については第１の実施形態と同様であるため説明を省略する。また、案内凹部２２付きの突起部２１の平面形状は、表示画面のアイコン、キー、ボタン、文字に対応する大きさの円形、矩形等自由に決められるが、ペン入力の操作性を損なわない範囲で必要最小限に止める方が表示面を視認する際、歪みの発生を防止できるため好ましい。また、突起部２１の側面形状は特に限定されるものではなく本実施形態は直方体とした例であるが、この他に台形形状等でも良い。また、突起部２１の上基板３４の上面３４ａからの高さｈの寸法値は０．１〜０．５ｍｍ程度に設定するのが好ましく、本実施形態においては上基板３４の厚さｔの値を０．２ｍｍ、突起部２１の高さｈの寸法値を０．１ｍｍ、案内凹部２２の深さｄの寸法値を０．２ｍｍとした。
【００２８】
案内凹部２２を有する突起部２１を上基板３４と一体に形成する方法としては、第１の実施形態と同様に成形やプレス加工により自由度の高い形状を与える事が可能である。また、上基板３４の材質についても樹脂フィルムだけでなく、ガラス基板の場合においてもプレス成形にて形成することができる。
【００２９】
また、透明樹脂等からなる案内凹部付きの突起部部材を別体で製作しタッチパネルの入力側の上基板上面に接着等で固定し上基板と突起部を一体に形成しても良い。案内凹部付きの突起部部材については、図４、図５にその例を示す。図４に示すように案内凹部付きの突起部部材４１は平面形状が円形で上面４１ａに平面形状が円形の案内凹部３２が形成されている。この案内凹部３２の形状は、第１、２の実施形態で説明した案内凹部２２と同様で良いが、図４に示すように突起部部材４１の上面４１ａから下面４１ｂに貫通する貫通孔でも良い。尚、本例における突起部部材４１の厚さｈの寸法値は、０．２ｍｍに設定した。図５は平面形状が矩形形状の突起部部材４６の上面４６ａに平面形状が円形の案内凹部３２を形成した例で同じく貫通孔の例を示している。
【００３０】
次に別体で製作した突起部部材を上基板上面に接着等で固定し上基板と突起部を一体に形成する形成方法について図３を用いて説明する。まず図３（ａ）に示すように別体で製作した突起部部材４１を所定の位置に予め突起部部材４１の上面４１ａを接着シート４２に粘着剤等で貼り合わせる。この時、突起部部材４１の下面４１ｂに接着剤を付着させておく。次に、突起部部材４１の下面４１ｂと上基板４４の上面４４ａとを対向するように配置して、矢印Ａの方向に接着シート４２に貼り合わせた突起部部材４１を押し下げる。
【００３１】
次に、図３（ｂ）に示すように上基板４４の上面４４ａに突起部部材４１の下面４１ｂをさらに押圧して接着固定する。
その後、図３（ｃ）に示すように、接着シート４２を突起部部材４１の上面４１ａから除去する。このように、接着シートごとに上基板４４の上面４４ａに突起部部材４１を接着すると作業性が良く所定の位置に確実に接着固定することができる。これによって案内凹部付きの突起部部材４１（突起部）と上基板４４とを一体に形成することができる。尚、本例における上基板４４の厚さｔの寸法値は０．２ｍｍに設定した。
【００３２】
以上説明したように本実施形態におけるタッチパネルは、上基板の厚さが０．２ｍｍ以下と小さい場合においても上基板上にアイコン等の位置に対応させて案内凹部２２を設けた突起部部材（突起部）を一体に形成することで、入力位置の特定が容易になり押し間違いを防止できると共に安価に突起部、案内凹部を形成することが可能となる。また、第１の実施形態と同様の効果を得ることができる。
【００３３】
（第３の実施形態）
図６は本発明の第３の実施形態におけるタッチパネルを示す部分拡大断面図である。本実施形態におけるタッチパネルはペン入力の入力補助手段として通常の平板の上基板上に入力補助シートを配置した点が第２の実施形態と異なる点である。その他の構成は、第２の実施形態におけるタッチパネルと同様である。従って、第２の実施形態と同一部分については同一番号を付与してその説明は省略する。以下、図６を用いて第３の実施形態におけるタッチパネルについて説明する。
【００３４】
図６に示すように第３の実施形態のタッチパネル４０は液晶表示パネル２０の上に配置されている。このタッチパネル４０の入力側の上基板５４は通常の平板な基板である。この上基板５４の上面５４ａ側にペン入力補助手段として入力補助シート５５が配置されている。この入力補助シート５５は透明で柔軟なシートであって、その上面５５ａから突出する凸状の突起部５１と、該突起部５１の上面５１ａのほぼ中央付近に入力ペン２５の先端２５ａを案内する案内凹部２２とが設けられている。この突起部５１は、下方に配置されている液晶表示パネルに表示される仮想キーボード（図示せず）の各キーあるいはボタンに対応するそれぞれの位置に配置され入力補助シート５５と一体に形成されている。
【００３５】
また、案内凹部２２及び突起部５１の形状等については、第２の実施形態と同様であるため説明を省略する。尚、本実施形態においては、入力補助シート５５の厚さｓの寸法値を０．２ｍｍ、突起部５１の高さｈの寸法値０．１ｍｍ、案内凹部２２の深さｄの寸法値を０．２ｍｍとした。
【００３６】
また、案内凹部２２を有する突起部５１を入力補助シート５５と一体に形成する方法としては、第２の実施形態と同様に成形やプレス加工により自由度の高い形状を与える事が可能である。また、透明樹脂等からなる凸状の突起部部材を別体で製作し入力補助シート５２の上面に接着等で固定する方法も第２の実施形態と同様に可能である。
【００３７】
以上説明したように本実施形態におけるタッチパネルは、入力補助シート５５を上基板５４上に配置し、この入力補助シート５５上に案内凹部２２を設けた突起部５１を一体に形成することで入力位置の特定が容易になり押し間違いを防止できると共に安価に突起部、案内凹部を形成することが可能となる。さらに、表示画面が変わり押圧点の位置が変わった場合にも、案内凹部の配置を変更した入力補助シートと入れ替えることで簡単に対応することができ便利である。また、第１、第２の実施形態と同様の効果を得ることができる。
【００３８】
また、本実施形態の他の例を図７に示す。本例は、図７に示すように入力補助シート５５における案内凹部２２のほぼ中央に対応するそれぞれの位置に下面５５ｂから突出する凸状の突起５３が設けられている。この突起５３は入力ペンで入力補助シート５５を押圧した時に入力補助シート５５の下面５５ｂに応力集中を起こさせることを目的としたものである。この突起５３をタッチパネルの上基板５４の上面５４ａに当接するように形成することにより、動作点に正確に押圧でき、さらに応力集中の効果で可撓性の低いガラス基板にも相対的に低い押圧で入力が可能になる効果を有する。このように本例はタッチパネル入力面への押圧点がピンポイントで決まる為、押し間違いが無く、限られたスペースに密集して動作点を設定することができ、画面入力型表示装置自体を小型化することが可能である。
【００３９】
尚、本実施形態における入力補助シートを防眩機能を有する材料（例えば視認側に微細凹凸を形成した透明樹脂シート）で形成することにより一枚のシートで両機能を合わせ持たせることが可能となり、上基板に防眩フィルムを貼り合わせる場合、コストダウンが可能となる。
【００４０】
（第４の実施形態）
図８は本発明の第４の実施形態におけるタッチパネルを示す部分拡大断面図である。本実施形態におけるタッチパネルは入力側の上基板上面に偏光板や防弦フィルムを貼り合わせる場合、偏光板や防弦フィルム上に入力補助手段としての案内凹部付きの突起部を設け、入力補助シートを設けない点が第３の実施形態と異なっており、その他の構成は第３の実施形態におけるタッチパネルと同様である。従って、第３の実施形態と同一部分については同一番号を付与してその説明は省略する。以下、図８を用いて第４の実施形態におけるタッチパネルについて説明する。
【００４１】
図８に示すように本実施形態のタッチパネルは入力側の上基板５４上に配置されている偏光板６５の上面６５ａにペン入力補助手段として案内凹部付きの突起部部材４１（突起部）が一体に形成されている。この突起部部材４１は液晶表示パネルに表示される仮想キーボード（図示せず）の各キーあるいはボタンに対応するそれぞれの位置に配置されており、別体で製作した案内凹部３２付きの突起部部材４１を偏光板６５の上面６５ａに接着等で固定し偏光板と一体に形成されている。
【００４２】
この突起部部材４１の形状等は図４を用いて第２実施形態で説明したものと同様であるため説明を省略する。また、突起部部材４１を偏光板６５に接着する方法についても、図３を用いて第２の実施形態で説明したように、予め突起部部材４１を所定の位置に貼り付けた接着シートごとに偏光板６５の上面６５ａに突起部部材４１を接着すると作業性が良く所定の位置に確実に接着固定することができる。また、入力側の上基板５４の上面５４ａに防弦フィルムを貼り合わせる場合も同様に適応することができる。
【００４３】
以上説明したように本実施形態におけるタッチパネルは、入力側の上基板上面に偏光板や防弦フィルムを貼り合わせる場合、偏光板や防弦フィルム上に入力補助手段としての案内凹部付き突起部部材を接着等で一体形成することでコストダウンが可能である。また、第１、第２の実施形態と同様の効果を得ることができる。
【００４４】
尚、本発明におけるタッチパネルは、アナログ、デジタル何れの方式にも有効である。
【図面の簡単な説明】
【００４５】
【図１】本発明の第１の実施形態における入力ペンの案内凹部を有するタッチパネルを示す部分拡大断面図である。
【図２】本発明の第２の実施形態における案内凹部付き突起部を有する上基板を示す断面図である。
【図３】本発明の第２の実施形態における案内凹部付き突起部を上基板に形成する工程を示す断面図である。
【図４】本発明の第２の実施形態における案内凹部付き突起部部材を示す平面図及び断面図である。
【図５】本発明の第２の実施形態における案内凹部付き突起部部材の平面図及び断面図である。
【図６】本発明の第３の実施形態における入力補助シートを有するタッチパネルを示す部分拡大断面図である。
【図７】本発明の第３の実施形態における入力補助シートの他の例を示す断面図である。
【図８】本発明の第４の実施形態における偏光板の上面に案内凹部付き突起部部材を設けた例を示すタッチパネルの部分拡大断面図である。
【図９】従来技術のタッチパネルを用いた携帯情報機器を示す平面図である。
【図１０】従来技術のタッチパネルを示す断面図である。
【図１１】従来技術のタッチパネルのシート認識説明図である。
【図１２】従来技術のタッチパネルにおける他の例のシート認識説明図である。
【符号の説明】
【００４６】
１  突起
２  補助シート
３  タッチパネルシート
４  タッチパネルの上基板
４ａ  変形範囲
５  指先
６  変形範囲
７  タッチパネルの下基板
８  透明電極
９  透明電極
１０  タッチパネル
１１  携帯情報機器
１２  画面
１３  表示部
１４  仮想キーボード表示部
１５  仮想キーボード
２０  液晶表示パネル
２１  突起部
２１ａ  突起部の上面
２２  案内凹部
２２ａ  案内凹部の底面
２４  上基板
２４ａ  上基板の上面
２５  入力ペン
２５ａ  入力ペンの先端
３０  タッチパネル
３２  突起部部材の案内凹部
３４  上基板
３４ａ  上基板の上面
４０  タッチパネル
４１  突起部部材
４１ａ  突起部部材の上面
４１ｂ  突起部部材の下面
４２  接着シート
４４  上基板
４４ａ  上基板の上面
４６  突起部部材
４６ａ  突起部部材の上面
５１  突起部
５１ａ  突起部の上面
５３  入力補助シートの下面の突起
５４  上基板
５４ａ  上基板の上面
５５  入力補助シート
５５ａ  入力補助シートの上面
５５ｂ  入力補助シートの下面
６５    偏光板
６５ａ  偏光板の上面
【図１】
2005148848.tif 000003
【図２】
2005148848.tif 000004
【図３】
2005148848.tif 000005
【図４】
2005148848.tif 000006
【図５】
2005148848.tif 000007
【図６】
2005148848.tif 000008
【図７】
2005148848.tif 000009
【図８】
2005148848.tif 000010
【図９】
2005148848.tif 000011
【図１０】
2005148848.tif 000012
【図１１】
2005148848.tif 000013
【図１２】
2005148848.tif 000014